(57)【要約】【課題】容易且つ正確にケーブルを識別することができ、これによって誤切断をなくすケーブルを提供する。【解決手段】がい装８上に、自己のケーブルを識別するための識別情報を記憶し且つ外部から非接触で識別情報が読み書きできる情報記憶素子部２１（２１ａ〜２１ｆ）を連続して配設してなるテープ２０又は紐をケーブル長手方向に沿って設けたことを特徴とする。【選択図】　　　図１
2004146068.tif 000002
【特許請求の範囲】
【請求項１】
自己を識別するための識別情報を記憶し且つ外部から非接触で前記識別情報が読み書きできる情報記憶素子部を連続して配設した連長体。
【請求項２】
引張強度が５ｋｇｆ以上であることを特徴とする請求項１記載の連長体。
【請求項３】
連続使用温度８０℃で且つ短時間使用温度９０℃を５分間維持する耐熱特性を有することを特徴とする請求項１記載の連長体。
【請求項４】
隣接する２つの情報記憶素子部相互間を連結する如く前記２つの情報記憶素子部の真下に配置された高透磁率を有する磁性体層を有することを特徴とする請求項１記載の連長体。
【請求項５】
前記情報記憶素子部が略一定間隔で巻き付けられた高透磁率を有する磁性体線材を有することを特徴とする請求項１記載の連長体。
【請求項６】
自己のケーブルを識別するための識別情報を記憶し且つ外部から非接触で前記識別情報が読み書きできる情報記憶素子部を連続して配設した連長体をケーブル長手方向に沿って配設したことを特徴とするケーブル。
【請求項７】
複数の絶縁心線を集合した集合体と、この集合体の外側に施されたシースとを有し、前記連長体は、前記集合体内又は前記シースの内側に設けられることを特徴とする請求項６記載のケーブル。
【請求項８】
光ファイバが収容されたスロットと、このスロットの外周上に巻回された押え巻きと、この押え巻き上に施されたシースとを有し、前記連長体は、前記スロット内に設けられることを特徴とする請求項６記載のケーブル。
【請求項９】
前記連長体は、前記ケーブル長手方向に沿って螺旋状に巻回されてなる押え巻きであることを特徴とする請求項６記載のケーブル。
【請求項１０】
前記連長体は、引張強度が５ｋｇｆ以上であることを特徴とする請求項６記載のケーブル。
【請求項１１】
前記連長体は、連続使用温度８０℃で且つ短時間使用温度９０℃を５分間維持する耐熱特性を有することを特徴とする請求項６記載のケーブル。
【請求項１２】
隣接する２つの情報記憶素子部相互間を連結する如く前記２つの情報記憶素子部の真下に配置された高透磁率を有する磁性体層と、この磁性体層及び前記情報記憶素子部の外側に巻回された金属テープとを有することを特徴とする請求項６記載のケーブル。
【請求項１３】
前記情報記憶素子部が略一定間隔で巻き付けられた高透磁率を有する磁性体線材と、この磁性体線材及び前記情報記憶素子部の外側に巻回された金属テープとを有することを特徴とする請求項６記載のケーブル。
【発明の詳細な説明】
【０００１】
【発明の属する技術分野】
本発明は、情報記憶素子を備えた連長体、及び、高速鉄道等の鉄道沿線や高電圧電線に沿って布設されるケーブル等に関し、特に当該ケーブルを識別するための識別情報を記憶した情報記憶素子部を内挿したケーブルに関する。
【０００２】
【従来の技術】
一般にケーブルを識別する方法として、ケーブルの終端部では、銘盤を取り付けたり、ラベルを貼り付けたりしてケーブルを識別表示している。
【０００３】
また、ケーブルの中間部では、表面印刷、エンボス、シースの色（ストライプ押し出しを含む。）によって、ある程度、ケーブルを識別することができる。例えば、特許文献１に記載された線心の識別法では、図２２に示すように、サプライボビン１１２ａ〜１１２ｃから引き出した線心１１３ａ〜１１３ｃを撚合機１１に引き込む前に、各線心にインクジェットプリンタ１１４ａ〜１１４ｃによって色別識別手段を付着させ、各々の線心を識別できるトリプレックス型ケーブルを形成している。
【０００４】
しかし、上述した従来のケーブルの識別方法にあっては、ケーブルの終端部では、識別表示が長期間の間に汚れ等で読めなくなる。また、ケーブルの中間部では、同様のケーブルが多条布設されていると、ケーブルの識別が困難となる。このため、ケーブルの端末から目視で追っていくか、あるいは、電気信号をケーブルの一端に入力して当該ケーブルの他端に前記電気信号に対する出力があったかどうかによって、ケーブルを識別しなければならなかった。
【０００５】
特に、鉄道では、線路傍のトラフ内には、数十本のケーブルが布設されており、撤去ケーブルの特定が難しく、ケーブルを誤切断することがあった。
【０００６】
一方、無線を利用して非接触でタグ（非接触カード）の情報を読み書きする無線タグシステムが知られている。例えば特許文献２に記載された無線タグでは、図２３に示すように、電子回路部２１２が、外部とのデータ通信を制御し、電磁誘導コイル２１１は、電子回路部２１２が動作する上で必要な電力を無線により外部から得るとともに、電子回路部２１２に予め記録されたデータを無線により外部へ出力している。
【０００７】
このような無線タグの技術を用いて、従来より前述したケーブルの一箇所、例えば終端部又は中間部の一箇所に、ケーブルを識別する識別情報を記憶した記憶素子部を設け、外部から非接触で記憶素子部に記憶した識別情報を読み出すことが行なわれている。
【０００８】
【特許文献１】
特開平６−６０７５０号公報（第２頁〜第３頁、第１図）
【０００９】
【特許文献２】
特開平１０−１６２２６２号公報（第４頁〜第６頁、第１図）
【００１０】
【発明が解決しようとする課題】
しかしながら、記憶素子部がケーブルの一箇所しか設けられていないため、携帯型の読み出し装置が記憶素子部から離れている場合には識別情報を読み出すことができない。
【００１１】
本発明は、上述した問題を解消するためになされたものであり、その課題は、情報記憶素子を備えた連長体及び容易且つ正確にケーブルを識別することができ、これによって誤切断をなくすケーブルを提供することにある。
【００１２】
【課題を解決するための手段】
上記課題を達成するために、請求項１の発明の連長体は、自己を識別するための識別情報を記憶し且つ外部から非接触で前記識別情報が読み書きできる情報記憶素子部を連続して配設した。
【００１３】
請求項２の発明の連長体は、請求項１記載の連長体において、引張強度が５ｋｇｆ以上であることを特徴とする。
【００１４】
請求項３の発明の連長体は、請求項１記載の連長体において、連続使用温度８０℃で且つ短時間使用温度９０℃を５分間維持する耐熱特性を有することを特徴とする。
【００１５】
請求項４の発明の連長体は、請求項１記載の連長体において、隣接する２つの情報記憶素子部相互間を連結する如く前記２つの情報記憶素子部の真下に配置された高透磁率を有する磁性体層を有することを特徴とする。
【００１６】
請求項５の発明の連長体は、請求項１記載の連長体において、前記情報記憶素子部が略一定間隔で巻き付けられた高透磁率を有する磁性体線材を有することを特徴とする。
【００１７】
請求項６の発明のケーブルは、自己のケーブルを識別するための識別情報を記憶し且つ外部から非接触で前記識別情報が読み書きできる情報記憶素子部を連続して配設した連長体をケーブル長手方向に沿って配設したことを特徴とする。
【００１８】
請求項７の発明のケーブルは、請求項６記載のケーブルにおいて、複数の絶縁心線を集合した集合体と、この集合体の外側に施されたシースとを有し、前記連長体は、前記集合体内又は前記シースの内側に設けられることを特徴とする。
【００１９】
請求項８の発明のケーブルは、請求項６記載のケーブルにおいて、光ファイバが収容されたスロットと、このスロットの外周上に巻回された押え巻きと、この押え巻き上に施されたシースとを有し、前記連長体は、前記スロット内に設けられることを特徴とする。
【００２０】
請求項９の発明のケーブルは、請求項６記載のケーブルにおいて、前記連長体は、前記ケーブル長手方向に沿って螺旋状に巻回されてなる押え巻きであることを特徴とする。
【００２１】
請求項１０の発明のケーブルは、請求項６記載のケーブルにおいて、前記連長体は、引張強度が５ｋｇｆ以上であることを特徴とする。
【００２２】
請求項１１の発明のケーブルは、請求項６記載のケーブルにおいて、前記連長体は、連続使用温度８０℃で且つ短時間使用温度９０℃を５分間維持する耐熱特性を有することを特徴とする。
【００２３】
請求項１２の発明のケーブルは、請求項６記載のケーブルにおいて、隣接する２つの情報記憶素子部相互間を連結する如く前記２つの情報記憶素子部の真下に配置された高透磁率を有する磁性体層と、この磁性体層及び前記情報記憶素子部の外側に巻回された金属テープとを有することを特徴とする。
【００２４】
請求項１３の発明のケーブルは、請求項６記載のケーブルにおいて、前記情報記憶素子部が略一定間隔で巻き付けられた高透磁率を有する磁性体線材と、この磁性体線材及び前記情報記憶素子部の外側に巻回された金属テープとを有することを特徴とする。
【００２５】
【発明の実施の形態】
以下、本発明の情報記憶素子を備えた連長体及びケーブルの実施の形態を図面を参照しながら詳細に説明する。
【００２６】
（第１の実施の形態）
図１は第１の実施の形態に係るケーブルの構造を示す図である。図１（ａ）は概略構成図、図１（ｂ）は断面図、図１（ｃ）はケーブル内における情報記憶素子部を複数個配置したテープの位置を示す断面図、図１（ｄ）はケーブル内における情報記憶素子部を複数個配置したテープを示す斜視図である。
【００２７】
図１に示すケーブルは、信号ケーブルであり、この信号ケーブルにおいて、絶縁心線１は、複数の軟銅線を撚り合わせて導体とし、この導体上にポリエチレンなどからなる絶縁体２を被覆したものである。絶縁体２が被覆された絶縁心線１の２本を１対とし、３対ないし２０対の絶縁心線がポリプロピレンヤーンなどの介在物３を介して集合されている。この集合体内には２条の警報線１１が同時に集合されている。この警報線１１は、導体上にポリエチレンなどからなる絶縁体を被覆し、この絶縁体に穴開け加工を施したもので、ケーブル内に万一水が浸入した時にこれを検知して警報を発するものである。
【００２８】
この集合体上には、１枚以上、好ましくは２枚以上の耐電圧特性の良い耐雷補強テープ（ポリエステルテープ）が重ね巻きで巻回されてなる耐雷補強層４が設けられている。この耐雷補強層４上には１本の接地線５が縦添え状に設けられている。この接地線５は、すずめっき平編銅線からなり、内部シース６と電気的に導通しており、内部シース６に流れる誘導電流等を逃がし、且つ内部シース６の接地処理を簡便に行なうものである。
【００２９】
耐雷補強層４上には、接地線５をも包囲するように内部シース６が被覆されており、この内部シース６は、アルミニウムからなるアルミテープやポリエチレンを縦添えしたものである。この内部シース６上には、ナイロンテープなどの押え巻７が巻回され、この押え巻７上には、厚み０．１ｍｍ程度の軟質ステンレス鋼帯（ステンレステープ）を鋼帯の幅の約１／３の隙間を保って２層に巻回してなるがい装８が設けられている。このがい装８は、ケーブルコアの機械的な保護や防鼠を目的としたものである。がい装８上には、ナイロンテープなどからなる押え巻９が設けられ、この押え巻９上には、可塑化ポリ塩化ビニルなどからなる外部シース１０が設けられている。
【００３０】
また、図１（ｃ）及び図１（ｄ）に示すように、がい装８上には、ケーブルの長手方向に沿ってテープ２０（本発明の連長体に対応）が設けられており、このテープ２０には、略一定間隔毎に、当該ケーブルを識別するための識別情報を記憶した情報記憶素子部２１（２１ａ〜２１ｎ、図では２１ａ〜２１ｆまでを示した。）が設けられている。即ち、情報記憶素子部２１を複数個配置した１本のテープ２０をステンレステープからなるがい装８の直上に縦添えしたものである。情報記憶素子部２１には、ケーブル自身の識別情報（品名、サイズ、布設年、回線名等）が記憶されており、情報記憶素子部２１毎に同一又は異なった識別情報が与えられている。なお、情報記憶素子部に記憶された情報は、非接触で外部のリーダライターから無線で伝達された情報である。
【００３１】
前記テープ２０は、厚み５０μｍのポリプロピレンテープからなり、図２（ａ）に示すように、幅ｄが約３０ｍｍであり、厚みｔが３００μｍである。なお、テープ２０は、ＰＥＴ（ポリエチレンテレフタレート）、あるいはナイロンであっても良い。また、テープ２０の製造時におけるテンション（引張強度）は約５ｋｇｆ以上である。また、テープ２０は、使用温度８０℃を連続して維持する耐熱試験、ケーブルの押出時に使用温度２００℃を５分間維持する耐熱試験を行なっても特性上に問題はない。
【００３２】
情報記憶素子部２１は、図３（ａ）に示すように、前記識別情報を記憶したメモリ（図示せず）を有する集積回路チップ（以下、ＩＣチップと称する。）２３と、このＩＣチップ２３を取り囲むように配置された円環状のアンテナコイル２２と、このアンテナコイル２２とＩＣチップ２３とを接続した電極パターン２２ａと有し、これらの素子は、図３（ｃ）に示すように、ポリエステルからなる保護層２４で被覆されている。
【００３３】
ＩＣチップ２３は、例えば縦１ｍｍで横１ｍｍの正方形をなし、アンテナコイル２２は、銅線からなり、内径Ｄ１が約１０ｍｍであり、外径Ｄ２が約１５ｍｍである。保護層２４は、厚みが約１００μｍであり、幅Ｄ３が約２０ｍｍである。
【００３４】
次に、このように構成された第１の実施の形態に係るケーブル内の情報記憶素子部２１に記憶された情報の読み出し処理を説明する。図４はケーブル内の情報記憶素子部に記憶された情報の読み出しを行なうリーダを示す図である。
【００３５】
図４において、リーダ３０は、交流電源Ｖａと、スイッチＳ１と、アンテナコイルＬと、このアンテナコイルＬに並列に接続された共振用コンデンサＣｒと、抵抗Ｒｉとで構成されている。情報記憶素子部２１は、アンテナコイル２２と、このアンテナコイル２２に並列に接続された共振用コンデンサＣ１と、整流用ダイオードＤ１と、平滑用コンデンサＣ２と、図示しないメモリを有するＩＣチップ２３とで構成されている。
【００３６】
リーダ３０のアンテナコイルＬは、スイッチＳ１をオンすると、交流電源Ｖａからの電力を受けて、強い高周波（例えば１２５ｋＨｚ又は１３．５６ＭＨｚ）の電磁界を発生する。リーダ３０のアンテナコイルＬから放出された磁界のある僅かな部分が、リーダ３０から離れている情報記憶素子部２１のアンテナコイル２２を突き抜ける。このため、リーダ３０のアンテナコイルＬとＲＦＩＤ２１のアンテナコイル２２との相互インダクタンスによって、情報記憶素子部２１のアンテナコイル２２に電圧が発生する。
【００３７】
このとき、情報記憶素子部２１のアンテナコイル２２とコンデンサＣ１との並列共振回路は、リーダ３０の送信周波数に共振するように調整されているので、並列共振回路の電圧は大きくなる。この電圧は、整流用ダイオードＤ１及び平滑用コンデンサＣ２で整流平滑されて、ＩＣチップ２３の電力として供給される。即ち、ＩＣチップ２３が動作して、ＩＣチップ２３内のメモリに記憶されたデータ（ケーブルを識別するための識別情報）が読み出される。
【００３８】
次に、情報記憶素子部２１のアンテナコイル２２が形成する共振回路によって、ＩＣチップ２３からのデータがリーダ３０に送信される。リーダ３０では、リーダ３０の送信周波数と一致する共振周波数を持つ並列共振回路を、アンテナコイルＬのインダクタンスとコンデンサＣｒのコンダクタンスとで形成する。この並列共振回路によって、非常に大きい電流がリーダ３０のアンテナコイルＬに発生する。このため、リーダ３０側で、ケーブル内の情報記憶素子部２１のデータを読み出すことができる。
【００３９】
また、第１の実施の形態に係るケーブルでは、情報記憶素子部２１を複数個配置した１本のテープ２０をステンレステープからなるがい装８の直上に縦添えし、情報記憶素子部２１毎に同一又は異なった識別情報を与えている。このため、複数本のケーブルが布設されていても、また、ケーブルの長手方向におけるどの位置でもリーダ３０により識別情報を読み出しできる。このため、ケーブルを容易に且つ正確に識別することができるから、ケーブルを誤切断することがなくなる。
【００４０】
また、情報記憶素子部２１の情報は、特定のリーダ３０がなければ読みとれないため、第三者が容易に情報を読み取ることができない。また、情報記憶素子部２１をケーブル内部（シース下）に挿入することにより、外傷を受けにくくなる。また、情報記憶素子部２１をナイロンテープからなる押え巻８の下に挿入するため、ケーブルの外観に影響を及ぼさない。
【００４１】
また、情報記憶素子部２１がケーブルのアルミテープを有する内部シース６の内部もしくはその近傍にあっても、識別情報をＩＣチップ２３に書き込むことができる。
【００４２】
（第１の変形例）
第１の実施の形態では、情報記憶素子部２１を複数個配置したテープ２０をケーブルの周方向に１本だけ設けた。しかし、ケーブルを挟んでテープ２０とリーダ３０とが対向して配置された場合などには、テープ２０とリーダ３０とが遠くなり、情報を読み取れなくなる場合もある。そこで、第１の変形例では、情報記憶素子部２１を複数個配置したテープをケーブルの周方向に沿って複数本設けたことを特徴とする。
【００４３】
図５は第１の実施の形態に係るケーブルの第１の変形例の構造を示す図である。図５（ａ）はケーブル内における情報記憶素子部を複数個配置した４本のテープの位置を示す断面図、図５（ｂ）はケーブル内における情報記憶素子部を複数個配置した４本のテープを示す斜視図である。
【００４４】
図５に示す第１の変形例では、４本のテープ２０ａ〜２０ｄをステンレステープからなるがい装８の直上（ナイロンテープの下）に縦添えし、且つ４本のテープ２０ａ〜２０ｄをケーブルの周方向に沿って略等間隔に配置したことを特徴とする。各々のテープ２０ａ〜２０ｄには、略一定間隔毎に、情報記憶素子部２１（２１ａ〜２１ｎ、図では２１ａ〜２１ｆまでを示した。）が設けられている。
【００４５】
このような構成のケーブルによれば、第１の実施の形態の効果と同一の効果が得られるとともに、４本のテープ２０ａ〜２０ｄをケーブルの周方向に沿って略等間隔に配置したので、リーダ３０がケーブルの周方向のどの方向に配置されても、リーダ３０に最も近いテープ２０に有する情報記憶素子部２１から情報を読み出すことができる。即ち、ケーブルの周方向のどの方向からでも情報を読み取ることができる。
【００４６】
（第２の変形例）
図６は第１の実施の形態に係るケーブルの第２の変形例の構造を示す図である。図６（ａ）はケーブル内における情報記憶素子部を複数個配置した１本のテープの位置を示す断面図、図６（ｂ）はケーブル内における情報記憶素子部を複数個配置した１本のテープを示す斜視図である。
【００４７】
図６に示す第２の変形例では、１本のテープ２０Ａをステンレステープからなるがい装８の直上（ナイロンテープの下）に螺旋状に設けたことを特徴とする。１本のテープ２０Ａには、略一定間隔毎に、情報記憶素子部２１（２１ａ〜２１ｎ）が設けられている。
【００４８】
このような構成のケーブルによれば、第１の実施の形態の効果と同一の効果が得られるとともに、情報記憶素子部２１がケーブルの周方向に沿って略等間隔に配置されているので、リーダ３０がケーブルの周方向のどの方向に配置されても、リーダ３０に最も近い情報記憶素子部２１から情報を読み出すことができる。即ち、ケーブルの周方向のどの方向からでも情報を読み取ることができる。
【００４９】
なお、前述した第１の実施の形態、第１の変形例、第２の変形例では、テープ２０をがい装８の直上に設けたが、図７（ａ）に示すように、テープ２０をがい装８の直下に設けても良く、あるいは、図７（ｂ）に示すように、テープ２０を押え巻７の直下に設けても良く、あるいは、図７（ｃ）に示すように、テープ２０を押え巻９の直上に設けても良く、これらの場合にもテープ２０をがい装８の直上に設けた場合と同様な効果が得られる。
【００５０】
（第２の実施の形態）
次に、第２の実施の形態に係るケーブルを説明する。第２の実施の形態に係るケーブルは、スティック型の情報記憶素子部を複数個配置したテープを内挿したことを特徴とする。
【００５１】
図８は第２の実施の形態に係るケーブル内のスティック型の情報記憶素子部の詳細な構成を示す図である。図９は第２の実施の形態に係るケーブル内のスティック型の情報記憶素子部を複数個配置した紐を示す図である。図１０は第２の実施の形態に係るケーブルの構造を示す図である。
【００５２】
紐４０（本発明の連長体に対応）は、図９に示すように厚み５０μｍのポリプロピレンからなる。なお、紐４０は、ＰＥＴ（ポリエチレンテレフタレート）、あるいはナイロンであっても良い。また、紐４０の製造時におけるテンション（引張強度）は約５ｋｇｆ以上である。また、紐４０は、使用温度８０℃を連続して維持する耐熱試験、ケーブルの押出時に使用温度２００℃を５分間維持する耐熱試験を行なっても特性上に問題はない。
【００５３】
紐４０には、略一定間隔毎に、当該ケーブルを識別するための識別情報を記憶した情報記憶素子部４１（４１ａ〜２１ｎ、図９では４１ａから４１ｄまでを示した。）が設けられている。情報記憶素子部４１は、図８（ａ）に示すように、円柱状のフェライト棒４２（フェライトコア）と、このフェライト棒４２に巻回されたアンテナコイル４３と、このアンテナコイル４３の端部に接続された共振用コンデンサ４４と、この共振用コンデンサ４４に接続され且つ情報を記憶するメモリ（図示せず）を有する２つのＩＣチップ４５と有し、これらの素子は、図８（ｂ）に示すように、ポリエステルからなる保護層４６で被覆されている。アンテナコイル４３と共振用コンデンサ４４とで並列共振回路を構成する。これらの回路構成は、図４に示す情報記憶素子部２１の回路構成にほぼ対応している。
【００５４】
ＩＣチップ４５は、例えば縦１ｍｍで横１ｍｍの正方形をなし、アンテナコイル４３は、銅線からなる。保護層４６を含む情報記憶素子部の外径ｔは、約３ｍｍであり、長さＤが約１４ｍｍである。
【００５５】
このようなスティック型の情報記憶素子部４１を複数個配置した１本の紐４０を、図１０に示すように、内部シース６（ナイロンテープの下）に縦添えしている。より詳しくは、内部シース６に長手方向に沿って凹部４７を形成し、この凹部４７の溝部４８に、１本の紐４０を配置している。
【００５６】
このように第２の実施の形態に係るケーブルによれば、情報記憶素子部４１を複数個配置した１本の紐４０を内部シース６に縦添えし、情報記憶素子部４１毎に同一又は異なった識別情報を与えている。このため、複数本のケーブルが布設されていても、また、ケーブルの長手方向におけるどの位置でもリーダ３０により識別情報を読み出しできる。このため、ケーブルを容易に且つ正確に識別することができるから、ケーブルを誤切断することがなくなる。
【００５７】
また、情報記憶素子部４１の情報は、特定のリーダ３０がなければ読みとれないため、第三者が容易に情報を読み取ることができない。また、情報記憶素子部４１をケーブル内部（ステンレステープ下）に挿入することにより、外傷を受けにくくなる。また、情報記憶素子部４１をステンレステープの下に挿入するため、ケーブルの外観に影響を及ぼさない。
【００５８】
（第１の変形例）
図１１は第２の実施の形態に係るケーブルの第１の変形例の構造を示す図である。図１１（ａ）はケーブル内におけるスティック型の情報記憶素子部を複数個配置した４本の紐の位置を示す断面図、図１１（ｂ）はケーブル内におけるスティック型の情報記憶素子部を複数個配置した４本の紐を示す斜視図である。
【００５９】
図１１に示す第１の変形例では、４本の紐４０ａ〜４０ｄを内部シース６（ナイロンテープの下）に縦添えし、且つ４本の紐４０ａ〜４０ｄをケーブルの周方向に沿って略等間隔に配置したことを特徴とする。より詳しくは、４本の紐４０ａ〜４０ｄに対応させて４つの凹部４７ａ〜４７ｄを内部シース６に形成し、４つの溝部４８ａ〜４８ｄに４本の紐４０ａ〜４０ｄを配置している。各々の紐４０ａ〜４０ｄには、略一定間隔毎に、スティック型の情報記憶素子部４１（４１ａ〜４１ｎ）が設けられている。
【００６０】
このような構成のケーブルによれば、第２の実施の形態の効果と同一の効果が得られるとともに、４本の紐４０ａ〜４０ｄをケーブルの周方向に沿って略等間隔に配置したので、リーダ３０がケーブルの周方向のどの方向に配置されても、リーダ３０に最も近い紐４０に有する情報記憶素子部４１から情報を読み出すことができる。即ち、ケーブルの周方向のどの方向からでも情報を読み取ることができる。
【００６１】
（第２の変形例）
図１２は第２の実施の形態に係るケーブルの第２の変形例の構造を示す図である。図１２（ａ）はケーブル内におけるスティック型の情報記憶素子部を複数個配置した１本の紐の位置を示す断面図、図１２（ｂ）はケーブル内におけるスティック型の情報記憶素子部を複数個配置した１本の紐を示す斜視図である。
【００６２】
図１２に示す第２の変形例では、１本の紐４０Ａを内部シース６の中（ナイロンテープの下）に長手方向に沿って螺旋状に設けたことを特徴とする。より詳しくは、内部シース６に長手方向に沿って螺旋状に凹部４７を形成し、この凹部４７の溝部４８に、１本の紐４０Ａを配置している。１本の紐４０Ａには、略一定間隔毎に、情報記憶素子部４１（４１ａ〜４１ｎ）が設けられている。
【００６３】
このような構成のケーブルによれば、第２の実施の形態の効果と同一の効果が得られるとともに、情報記憶素子部４１がケーブルの周方向に沿って略等間隔に配置されているので、リーダ３０がケーブルの周方向のどの方向に配置されても、リーダ３０に最も近い情報記憶素子部４１から情報を読み出すことができる。即ち、ケーブルの周方向のどの方向からでも情報を読み取ることができる。
【００６４】
なお、前述した第２の実施の形態、第１の変形例、第２の変形例では、紐４０を内部シース６に設けたが、図１（ｃ）に示すように、紐４０をがい装８の直上に設けても良く、あるいは、図７（ａ）に示すように、紐４０をがい装８の直下に設けても良く、あるいは、図７（ｃ）に示すように、紐４０を押え巻９の直上に設けても良く、これらの場合にも紐４０を内部シース６に設けた場合と同様な効果が得られる。
【００６５】
（第３の実施の形態）
次に、第３の実施の形態に係るケーブルを説明する。図１３は第３の実施の形態に係るケーブルの構造を示す図である。このケーブルは、図１に示すケーブルに対して、絶縁体２が被覆された絶縁心線１と介在物３とからなる集合体内に、スティック型の情報記憶素子部４１を複数個配置した紐４０を縦添えした点が異なる。紐４０の径は約３ｍｍである。
【００６６】
このように集合体内に紐４０を設けた場合でも、第１の実施の形態に係るケーブルの効果と同様な効果が得られる。
【００６７】
（第４の実施の形態）
次に、第４の実施の形態に係るケーブルを説明する。図１４は第４の実施の形態に係るケーブルの構造を示す図である。このケーブルは、光ファイバユニットからなり、この光ファイバユニットは、図１４に示すように、テンションメンバ３２の周りに円柱状のスロットコア３５を有し、その外周の長さ方向に連続したスロット３４を形成し、そのスロット３４内に光ファイバ３３を収容し、外周を押え巻き３６で巻回し、さらにその外側を内部シース３７、鉛被３８及び外部シース３９で覆ったものである。
【００６８】
また、１つのスロット３４の内部には、スティック型の情報記憶素子部４１を複数個配置した紐４０を縦添えして設けられている。紐４０の径は約２．５ｍｍである。
【００６９】
このようにスロット３４内部に紐４０を設けた場合でも、第１の実施の形態に係るケーブルの効果と同様な効果が得られる。
【００７０】
（第５の実施の形態）
次に、第５の実施の形態に係るケーブルを説明する。図１５は第５の実施の形態に係るケーブルの構造を示す図である。このケーブルは、図１に示すケーブルに対して、押え巻き９の代わりに、がい装８上にテープ２０Ａを螺旋状に巻回したことを特徴とする。テープ幅は約３０ｍｍ〜４０ｍｍである。
【００７１】
このように、がい装８上にテープ２０Ａを螺旋状に巻回したので、第１の実施の形態に係るケーブルの第２の変形例の効果と同様な効果が得られるとともに、螺旋状に巻回されたテープ２０Ａが押え巻き９を兼用するので、押え巻き９が不要となり、コストを低減することができる。
【００７２】
なお、この例では、がい装８上にテープ２０Ａを螺旋状に巻回して押え巻き９を不要としたが、例えば、押え巻き７又は耐雷補強層４（耐雷補強テープ）の代わりに、テープ２０Ａを螺旋状に巻回しても同様な効果が得られる。
【００７３】
図１６は第５の実施の形態に係るケーブルの変形例の構造を示す図である。このケーブルは、図１に示すケーブルに対して、押え巻き９の代わりに、がい装８上に紐４０Ａを螺旋状に巻回したことを特徴とする。
【００７４】
このように、がい装８上に紐４０Ａを螺旋状に巻回したので、第２の実施の形態に係るケーブルの第２の変形例の効果と同様な効果が得られるとともに、螺旋状に巻回された紐４０Ａが押え巻き９を兼用するので、押え巻き９が不要となり、コストを低減することができる。
【００７５】
なお、この例では、がい装８上に紐４０Ａを螺旋状に巻回して押え巻き９を不要としたが、例えば、押え巻き７又は耐雷補強層４（耐雷補強テープ）の代わりに、紐４０Ａを螺旋状に巻回しても同様な効果が得られる。
【００７６】
（第６の実施の形態）
次に、第６の実施の形態に係るケーブルを説明する。図１７は第６の実施の形態に係るケーブル内の情報記憶素子部を複数個配置したテープを示す図で、図１７（ａ）はテープの上面図、図１７（ｂ）はテープの断面図である。第６の実施の形態に係るケーブルの構造は、図１に示す構造と略同一であり、テープ５０の構成のみが異なる。このテープ５０は、例えば、がい装８（本発明の金属テープに対応）上に配置されている。
【００７７】
情報記憶素子部５１は、図１７（ａ）に示すように、識別情報を記憶したメモリ（図示せず）を有するＩＣチップ５３と、このＩＣチップ５３を取り囲むように配置された矩形状のアンテナコイル５２と有し、これらの素子は、ポリエステル等で被覆されている。
【００７８】
また、隣接する２つの情報記憶素子部５１相互間を連結する如く、２つの情報記憶素子部５１の真下には、高透磁率を有するフェライト等の磁性体層５５が配置されている。この磁性体層５５の縦幅は、アンテナコイル５２の縦幅よりも狭い。
【００７９】
このように、２つの情報記憶素子部５１の真下に磁性体層５５が配置されているので、リーダライタと情報記憶素子部との通信により発生する磁界が磁性体層５５に集束するので、情報記憶素子部５１の感度が良くなる。特に、金属テープとしてのがい装９の内側に情報記憶素子部５１が配置された場合には、金属テープのシールドにより、情報記憶素子部５１の感度が低下するが、磁性体層５５を設けたことで感度が低下することはない。
【００８０】
（第７の実施の形態）
次に、第７の実施の形態に係るケーブルを説明する。図１８は第７の実施の形態に係るケーブル内の複数個の情報記憶素子部を一定間隔で巻き付けた高透磁率線材を示す図である。
【００８１】
情報記憶素子部５６は、図１８（ａ）に示すように、図３に示した環状の情報記憶素子部２１と略同一構成であり、この情報記憶素子部５６が、図１８（ｂ）に示すように、略一定間隔で複数個配置されている。また、各々の情報記憶素子部５６の中心部を、高透磁率を有する磁性体線材５８が貫通しており、この磁性体線材５８と情報記憶素子部５６とが交差する部分は図示しない接着剤や粘着テープ等で固定されている。
【００８２】
このように、複数の情報記憶素子部５６の中心部を高透磁率を有する磁性体線材５８が貫通しているので、リーダライタと情報記憶素子部５６との通信により発生する磁界が磁性体線材５８に集束するので、情報記憶素子部５６の感度が良くなる。特に、金属テープとしてのがい装９の内側に情報記憶素子部５６が配置された場合には、金属テープのシールドにより、情報記憶素子部５６の感度が低下するが、磁性体線材５６を設けたことで感度が低下することはない。
【００８３】
（第８の実施の形態）
次に、第８の実施の形態に係るケーブルを説明する。図１９は第８の実施の形態に係るケーブルの構造を示す図である。図１９に示すケーブルは、光ファイバを複合させた光複合電力ケーブルであり、海底ケーブル等に用いられる。
【００８４】
このケーブルは、図１９に示すように、３本の電力ケーブル６０のより合わせ隙間に２本のパイロットコアユニット８０と１本の光ファイバユニット７７が配置されている。電力ケーブル６０は、浸水防止のための導体６１及び導体遮蔽６２上に絶縁体６３、コア遮蔽６４、半導電水密層６５、鉛被６６、及びシース６７を順に設けてなり、シース６７の外側には介在６８が設けられている。また、介在６８には第２の実施の形態に係るケーブルで説明した紐４０が配置されている。
【００８５】
また、外傷から防護するため、電力ケーブル６０、パイロットコアユニット８０及び光ファイバユニット７７の外側に、テープ６９、テープ７０、成層７１、亜鉛メッキ鉄線７２、成層７３、亜鉛メッキ鉄線７４及びサービング７５を順に設けている。外側鉄線には機械的強度の優れたセミアイリッシュ（鉄線の巻きピッチを小さくし、アンカ等がケーブルに引っ掛かり難い構造）構造としている。
【００８６】
図２０は第８の実施の形態に係るケーブルに設けられたパイロットコアユニットの構造を示す図である。図２０に示すパイロットコアユニット８０は、導体８１上に絶縁体８２、介在８３、半導電水密層８４、銅線８５、アルミニウム薄テープ８６、シース８７を順に設けてなる。
【００８７】
このように構成された光複合電力ケーブルによれば、介在６８に情報記憶素子部４１を複数個配置した紐４０を縦添えしたので、第２の実施の形態に係るケーブルの効果と同様な効果が得られる。
【００８８】
なお、光複合電力ケーブルの介在６８に、第１の実施の形態に係るケーブルで説明したテープ２０を設けても同様な効果が得られる。また、テープ６９，テープ７０の代わりに、テープ２０又は紐４０を螺旋状に巻き回しても良い。
【００８９】
最後に、鉄道の線路傍に布設された複数本のケーブルを識別するシステム構成の一例を説明する。図２１は鉄道の線路傍に布設された複数本のケーブルを識別するシステム構成の一例を示す図である。線路９１の傍らには、情報記憶素子部が複数個配置されたテープを内挿した複数本のケーブル９２（図２１では簡単のため１本とした。）が線路９１に平行して配設されている。この複数本のケーブル９２の一端は、一方の機器室９３に接続され、複数本のケーブル９２の他端は、他方の機器室９４に接続されている。一方の機器室９３と他方の機器室９４との距離ＤＳは、例えば２．５ｋｍ〜５ｋｍである。
【００９０】
このような構成において、現場の作業者が、携帯型のカードリーダ３０により複数本のケーブルを識別し、ケーブルを撤去する。このため、誤切断がなくなり、また、同時撤去作業が可能となる。
【００９１】
なお、上述した実施の形態に係る情報記憶素子を備えたテープ又は紐からなる連長体は、例えば、ガス管、水道管、橋梁、柵等に適用可能であるのは勿論である。
【００９２】
【発明の効果】
本発明によれば、自己のケーブルを識別するための識別情報を記憶し且つ外部から非接触で識別情報が読み出される情報記憶素子部を連続して配設したテープ又は紐をケーブル長手方向に沿って配設したので、容易且つ正確にケーブルを識別することができ、これによって誤切断をなくすことができる。
【図面の簡単な説明】
【図１】第１の実施の形態に係るケーブルの構造を示す図である。
【図２】第１の実施の形態に係るケーブル内の情報記憶素子部を複数個配置したテープを示す図である。
【図３】第１の実施の形態に係るケーブル内の情報記憶素子部の詳細な構成を示す図である。
【図４】ケーブル内の情報記憶素子部に記憶された情報の読み出しを行なうリーダを示す図である。
【図５】第１の実施の形態に係るケーブルの第１の変形例の構造を示す図である。
【図６】第１の実施の形態に係るケーブルの第２の変形例の構造を示す図である。
【図７】第１の実施の形態に係るケーブル内の情報記憶素子部の位置を変更したいくつかの例を示す図である。
【図８】第２の実施の形態に係るケーブル内のスティック型の情報記憶素子部の詳細な構成を示す図である。
【図９】第２の実施の形態に係るケーブル内のスティック型の情報記憶素子部を複数個配置した紐を示す図である。
【図１０】第２の実施の形態に係るケーブルの構造を示す図である。
【図１１】第２の実施の形態に係るケーブルの第１の変形例の構造を示す図である。
【図１２】第２の実施の形態に係るケーブルの第２の変形例の構造を示す図である。
【図１３】第３の実施の形態に係るケーブルの構造を示す図である。
【図１４】第４の実施の形態に係るケーブルの構造を示す図である。
【図１５】第５の実施の形態に係るケーブルの構造を示す図である。
【図１６】第５の実施の形態に係るケーブルの変形例の構造を示す図である。
【図１７】第６の実施の形態に係るケーブル内の情報記憶素子部を複数個配置したテープを示す図である。
【図１８】第７の実施の形態に係るケーブル内の複数個の情報記憶素子部を一定間隔で巻き付けた高透磁率線材を示す図である。
【図１９】第８の実施の形態に係るケーブルの構造を示す図である。
【図２０】第８の実施の形態に係るケーブルに設けられたパイロットコアユニットの構造を示す図である。
【図２１】鉄道の線路傍に布設された複数本のケーブルを識別するシステム構成の一例を示す図である。
【図２２】従来のケーブルの識別方法の一例を示す構成図である。
【図２３】従来の無線タグの一例を示す構成図である。
【符号の説明】
１　絶縁心線
２　絶縁体
３　介在物
４　耐雷補強層
５　接地線
６　内部シース
７　押え巻
８　がい装
９　押え巻
１０　外部シース
１１　警報線
２０　テープ
２１ａ〜２１ｉ，４１ａ〜４１ｄ　情報記憶素子部
２２，４３　アンテナコイル
２３，４５　ＩＣチップ
２４，４６　保護層
３０　リーダ
４０　紐
４２　フェライト棒
４４　コンデンサ
４７　凹部
４８　溝部
【図１】
2004146068.tif 000003
【図２】
2004146068.tif 000004
【図３】
2004146068.tif 000005
【図４】
2004146068.tif 000006
【図５】
2004146068.tif 000007
【図６】
2004146068.tif 000008
【図７】
2004146068.tif 000009
【図８】
2004146068.tif 000010
【図９】
2004146068.tif 000011
【図１０】
2004146068.tif 000012
【図１１】
2004146068.tif 000013
【図１２】
2004146068.tif 000014
【図１３】
2004146068.tif 000015
【図１４】
2004146068.tif 000016
【図１５】
2004146068.tif 000017
【図１６】
2004146068.tif 000018
【図１７】
2004146068.tif 000019
【図１８】
2004146068.tif 000020
【図１９】
2004146068.tif 000021
【図２０】
2004146068.tif 000022
【図２１】
2004146068.tif 000023
【図２２】
2004146068.tif 000024
【図２３】
2004146068.tif 000025